(57)【特許請求の範囲】
【請求項１】
手足の爪に固定される基端部と、
前記基端部に対して、前記手足の甲側へと反るように形成される先端部と、
を具備する付け爪。
【請求項２】
前記先端部は、前記手足の甲側から見て略四角形状に形成される、
請求項１に記載の付け爪。
【請求項３】
前記先端部は、前記手足の甲側から見て先鋭形状に形成される、
請求項１に記載の付け爪。
【発明の詳細な説明】
【技術分野】
【０００１】
本発明は、手足の爪に固定（装着）して当該爪に装飾を施すことができる付け爪に関する。
【背景技術】
【０００２】
従来、手足の爪に固定（装着）して当該爪に装飾を施すことができる付け爪は公知となっている。例えば、特許文献１又は特許文献２に記載の如くである。
【０００３】
特許文献１又は特許文献２に記載されたような従来の付け爪においては、当該付け爪を手足の爪に固定（装着）し、当該付け爪に模様を描いたり装飾具を固定したりすることで、手足の爪に装飾（いわゆる、ネイルアート）を施すことができる。
【０００４】
しかし、特許文献１又は特許文献２に記載の付け爪は、手足の爪の形状（手のひら側に向かって緩やかに巻き込むような形状）に沿うような形に形成されている。このため、付け爪を手足の爪に装着すると、当該付け爪の先端が手のひら側に巻き込むような形になる。このような形の爪は、それを見る人によれば鳥の爪等を連想させるものであり、審美性を損ねるおそれがある点で不利であった。特に、長い付け爪を装着する場合や、付け爪を装着した爪が伸びてきた場合には、付け爪の先端がより一層手のひら側に巻き込むような形になるため、審美性を損ねるおそれが高くなる。
【先行技術文献】
【特許文献】
【０００５】
【特許文献１】特開２０１１−１６１１０７号公報
【特許文献２】特開２０１１−２５０９１１号公報
【発明の概要】
【発明が解決しようとする課題】
【０００６】
本発明は以上の如き状況に鑑みてなされたものであり、その解決しようとする課題は、審美性を向上させることができる付け爪を提供するものである。
【課題を解決するための手段】
【０００７】
本発明の解決しようとする課題は以上の如くであり、次にこの課題を解決するための手段を説明する。
【０００８】
即ち、請求項１においては、手足の爪に固定される基端部と、前記基端部に対して、前記手足の甲側へと反るように形成される先端部と、を具備するものである。
【０００９】
請求項２においては、前記先端部は、前記手足の甲側から見て略四角形状に形成されるものである。
【００１０】
請求項３においては、前記先端部は、前記手足の甲側から見て先鋭形状に形成されるものである。
【発明の効果】
【００１１】
本発明は、審美性を向上させることができる、という効果を奏する。
【図面の簡単な説明】
【００１２】
【図１】本発明の第一実施形態に係る付け爪の斜視図。
【図２】（ａ）同じく、手の甲側から見た図。（ｂ）同じく、右側から見た図。
【図３】（ａ）図２（ｂ）におけるＡ−Ａ断面図。（ｂ）基端部に対する先端部の反り方を複数例示した断面図。
【図４】（ａ）本発明の第二実施形態に係る付け爪の、手の甲側から見た図。（ｂ）同じく、右側から見た図。
【発明を実施するための形態】
【００１３】
次に、図１から図４までを用いて、本発明に係る付け爪の実施の形態について説明する。
【００１４】
なお、以下では、図中に示した矢印に従って、手の甲側、手のひら側、先端側、基端側、左側及び右側の各方向を定義し、当該方向に基づいて説明を行う。
【００１５】
まず、図１から図３までを用いて、本発明の第一実施形態に係る付け爪１０について説明する。
【００１６】
付け爪１０は、手（指）１の爪２に固定（装着）し、当該付け爪１０に模様を描いたり装飾具を固定したりすることで、手１の爪２に装飾（いわゆる、ネイルアート）を施すことができるものである。
【００１７】
なお、本実施形態における付け爪１０は、手１の爪２に装着するものとして説明をするが、本発明に係る付け爪は足の爪に装着するものであっても良い。
【００１８】
付け爪１０は、主として基端部１１と先端部１２とにより構成される。
【００１９】
基端部１１は、手１の爪２に固定される部分である。
基端部１１は、爪２に沿うような形となるように形成される。より具体的には、基端部１１は、基端側から先端側にかけて、手のひら側に向かって緩やかに曲線を描くように形成される。また、基端部１１は、左右中央部から左右側方にかけて、手のひら側に向かって緩やかに曲線を描くように形成される。
【００２０】
基端部１１の手のひら側の面を、接着剤や接着シート（シール）等により爪２に貼り付けることで、付け爪１０を爪２に固定（装着）することができる。この際、基端部１１が爪２に沿うような形に形成されているため、当該付け爪１０を爪２に確実に固定することができるとともに、当該付け爪１０を装着した爪２の美観を損なうことがない。
【００２１】
先端部１２は、基端部１１に対して、手の甲側へと反るように形成されるものである。
先端部１２は、基端部１１の先端側端部から連続して一体的に形成される。先端部１２は、基端部１１に対して手の甲側へと反るように形成される。より詳細には、図３（ａ）に示すように、先端部１２は、基端側から先端側に向かって基端部１１に対して手の甲側へと角度θだけ反るように形成される。
【００２２】
なお、本発明に係る付け爪においては、角度θの値は限定するものではない。すなわち、図３（ｂ）に想像線（二点鎖線）で示すように、先端部１２が基端部１１に対して、手の甲側へと反るように形成されていれば、角度θの値は何度であっても良い。
【００２３】
また、先端部１２は、手の甲側から見て略四角形状に形成される（図２（ａ）参照）。
より詳細には、先端部１２の左右両側端部は、付け爪１０の長手方向（基端側と先端側に平行な方向）と略平行となるように形成される。また、先端部１２の先端側端部は、左右方向と略平行となるように形成される。
【００２４】
以上の如く、本実施形態に係る付け爪１０は、手１の爪２に固定される基端部１１と、基端部１１に対して、手の甲側へと反るように形成される先端部１２と、を具備するものである。
【００２５】
このように構成することにより、付け爪１０の審美性を向上させることができる。より詳細には、付け爪１０の先端が手のひら側に巻き込むような形状にならないため、当該付け爪１０はそれを見る人に鳥の爪等を連想させることがなく、審美性を損ねることがない。
また、付け爪１０の先端部１２が基端部１１に対して手の甲側へと反っているため、当該先端部１２の裏側（手のひら側）の面が、他の人から視認され易くなる。よって、この面に装飾（いわゆる、ネイルアート）を施すことで、付け爪１０の審美性をより向上させることができる。
さらに、付け爪１０を、爪２に貼り付ける側の面を下方向に向けた状態でテーブル等の上に置いた場合、付け爪１０の先端部１２が基端部１１に対して手の甲側へと反っているため、先端部１２が当該テーブルから浮いた状態となる。したがって、当該先端部１２をつまむことで容易に付け爪１０を持つことができ、爪２に装飾（ネイルアート）を施す際の作業性を向上させることができる。
【００２６】
また、先端部１２は、手の甲側から見て略四角形状に形成されるものである。
【００２７】
このように構成することにより、付け爪１０全体の形状を整え、審美性を向上させることができる。
【００２８】
次に、図４を用いて、本発明の第二実施形態に係る付け爪２０について説明する。
【００２９】
付け爪２０は、主として基端部２１と先端部２２とにより構成される。
なお、基端部２１の構成は、第一実施形態に係る付け爪１０の基端部１１（図２等参照）と略同一であるため、説明を省略する。
【００３０】
先端部２２が第一実施形態に係る付け爪１０の先端部１２と異なる点は、手の甲側から見た際の形状である。先端部２２は、手の甲側から見て先鋭形状に形成される（図４（ａ）参照）。
より詳細には、先端部２２の左右両側端部は、基端側から先端側に向かって滑らかに左右中央部に寄るような形に形成される。このようにして、先端部２２の先端側は、丸みを帯びた先鋭形状に形成される。
【００３１】
以上の如く、本実施形態に係る先端部２２は、手の甲側から見て先鋭形状に形成されるものである。
【００３２】
このように構成することにより、付け爪１０全体の形状を整え、審美性を向上させることができる。
【００３３】
なお、上記第一実施形態及び第二実施形態においては、先端部１２及び先端部２２の形状を、手の甲側から見て略四角形状又は先鋭形状であるものとしたが、本発明に係る付け爪はこれに限るものではない。すなわち、先端部１２の形状はどのような形状であっても良い。
また、基端部１１及び基端部２１の形状も、上記第一実施形態及び第二実施形態に係る形状に限定するものではなく、どのような形状であっても良い。
【産業上の利用可能性】
【００３４】
本発明は、手足の爪に固定（装着）して当該爪に装飾を施すことができる付け爪に利用することが可能である。
【符号の説明】
【００３５】
１    手（指）
２    爪
１０  付け爪
１１  基端部
１２  先端部
【図１】
0005296230.tif 000002
【図２】
0005296230.tif 000003
【図３】
0005296230.tif 000004
【図４】
0005296230.tif 000005